(57)【要約】【課題】本発明は、従来工法ではできないか、或いは高コストを要するような、掘削方向地中断面が逆Ｔ字及びＬ字形状の連続壁を容易に構築するための施工機を提供することを目的とする。【解決手段】自走可能な施工機本体１の上部に回転駆動装置３を設け、回転駆動する掘削刃付スクリューロッド５を繋設すると共に、前記掘削刃付スクリューロッド５の回転を動力源とする掘削刃付水平方向スクリューロッド６，６’を併設し、上記駆動部に施工部回動機能を付加し、上記回転駆動する掘削刃付スクリューロッド５に対する反力受け８を設けたことを特徴とする。【選択図】  図１
2004263529.tif 000002
【特許請求の範囲】
【請求項１】
地中に溝を掘削すると共に固化材を供給し、掘削土と固化材を混合撹拌して地中連続壁を構築する施工機において、自走可能な施工機本体の上部に回転駆動装置を設け、回転駆動する掘削刃付スクリューロッドを繋設すると共に、その下端に前記掘削刃付スクリューロッドの回転を動力源とする掘削刃付水平方向スクリューロッドを併設したことを特徴とする掘削方向地中断面逆Ｔ字及びＬ字形状連続壁の施工機。
【請求項２】
上記駆動部に施工部の回動機能を付加したことを特徴とする請求項１の掘削方向地中断面逆Ｔ字及びＬ字形状連続壁の施工機。
【請求項３】
上記回転駆動する掘削刃付スクリューロッドに対する反力受けを設けたことを特徴とする請求項１および又は請求項２の掘削方向地中断面逆Ｔ字及びＬ字形状状連続壁の施工機。
【発明の詳細な説明】
【０００１】
【発明の属する技術分野】
土留め、擁壁、基礎杭、地盤改良、等において連続壁を掘削方向に対する地中断面が逆Ｔ字及びＬ字形状に造成する施工機に関する。
【０００２】
【従来の技術】
従来、地中連続壁を構築するには、多軸オーガドリル等で掘削して、所望の深さに到達させると共に、固化剤液を原位置土に注入混合攪拌するソイルセメントミキシング工法等が取られてきた。
【０００３】
このような工法は、掘削から次の掘削への繋ぎ目において地下水の漏れや強度の問題があり、一部を重ねて掘削する等、工程が複雑で工期が長くなるという問題点があり、また平断面形状がほぼ矩形状である壁溝を構築するには掘削断面形状が円形であるため無駄な部分を余儀なくされていた。
【０００４】
これらの問題点を解決する方法として、オーガ施工機の回転軸の周りに設けられたスクリューブレード（螺旋翼）の外周に、その半径方向外向きに突出する多数の掘削刃を取り付け、この施工機を引き揚げることなく到達場所に向けて連続的に掘削することにより設定された幅の地中連続壁を造成する方法（特許文献１、２参照）が種々考案されている。
【特許文献１】
特開平９−３１６９１９
【特許文献１】
特開２００１−３３６１４６
【０００５】
【発明が解決しようとする課題】
しかしながら、これらの方法は掘削方向に対する直角断面形状が矩形で一定幅の連続壁の造成を行えるものの、掘削方向に対する直角断面が逆Ｔ字やＬ字形状の連続壁を構築することはできない。現状は開削を行い逆Ｔ字やＬ字形状のパネルを設置する方法（特許第３３０６３７２号）が取られている。
【０００６】
開削して逆Ｔ字やＬ字形状パネルを設置した場合、地山の安定している地盤を開削して埋め戻すため、埋め戻された部分が開削する以前に比して地盤が弱くなり、背後側の地盤もそれにより大きな範囲で乱されるといった事態を招く。また、逆Ｔ字やＬ字形状擁壁を構築する間、地山から開削除去した土砂の大半を一時保管しておく必要があり、その保管に大きなスペースを要する。
【０００７】
そこで、本発明は、上記した従来工法ではできない掘削方向地中断面が逆Ｔ字及びＬ字形状の連続壁溝を容易に構築するための施工機の提供を目的とする。
【０００８】
【課題を解決しようとする手段】
本発明は、上記目的を達成するために、地中連続壁を構築する施工機において、自走可能な施工機本体の上部に回転駆動部を設け、回転駆動する掘削刃付スクリューロッドを繋設すると共に、その下端に前記掘削刃付スクリューロッドの回転を動力源とする掘削刃付水平方向スクリューロッドを併設した施工機にあり、また上記駆動部に施工部の回動機能を付加した施工機にあり、更に上記回転駆動する掘削刃付スクリューロッドに対する反力受けを設けた施工機にある。
【０００９】
こうしたことにより、回転駆動させながら掘削刃付スクリューロッド及び掘削刃付水平方向スクリューロッドをリーダに沿って所定深度まで建て込み、そこから水平方向へクローラを動かし掘削していくことで、掘削方向地中断面が逆Ｔ字及びＬ字形状の連続壁溝を容易に構築することができる。
【００１０】
【発明の実施の形態】
以下、本発明を図面に示す実施の形態を参照して説明する。図１は、本発明を実施するに用いる掘削方向地中断面逆Ｔ字形状連続壁の施工機の一実施形態を示すものであり、図（１−１）は側面図であり、図（１−２）はその正面図であり、図（１−３）は図（１−２）の各矢視からの断面図である。そして図２はギャボックス１０付近を拡大した各矢視からの断面図である。
【００１１】
図１に示すように、施工機本体１の前部に立設したリーダ２のガイドレールに係合して駆動モータを備えた回転駆動装置３が設けられ、この回転駆動装置３に連結して昇降装置４が設けられている。そして、回転駆動装置３にスクリューブレード外周縁に掘削刃１６が取付けられたスクリューロッド５（掘削刃付スクリューロッド）が繋設され、その下端に前記掘削刃付スクリューロッド５の回転を動力源とする上記と同じようにスクリューブレード外周縁に掘削刃１６が取付けられた水平スクリューロッド６が取付けられている。
【００１２】
スクリューロッド５は回転駆動装置３の回転力により回転し、更に、その回転が下端のベベルギャ１３を介しスプロケット１４にて水平スクリューロッド６，６’に伝達される構成となっており、スクリューロッド６，６’はギャボックス１０に支持される構成になっている。それから、上下のスクリューロッド５，６の反力受け８がスクリューロッド５に沿わせて配置されている。
【００１３】
そして、水平スクリューロッド６，６’はスクリューロッド５を中心として反力受け８共々回動自在になるよう、回転駆動装置３下部に回動装置７が設けられている。この回動装置７は建て込み時、水平スクリューロッド６，６’とクローラ１１とを長さ方向に対し並行にして水平スクリューロッド６，６’とクローラ１１との交錯を防止するためのものである。この回動装置７は油圧装置１５にてカムを押引することで施工部を回動させるようになっている。
【００１４】
尚、上記の反力受け８内には固化剤等の薬液を液送するパイプが内設されており水平スクリューロッド６部へも下端スイベルを介し薬液を供給し地中に吐出し得るようになっている。（図示せず。）
【００１５】
また、水平スクリューロッド６，６’の下部にはスクリューロッド５に繋がっている掘削ヘッド９が設けられている。この掘削ヘッド９は反力受け８及びギャボックス１０の垂直投影面の掘削を行う役割のものである。
【００１６】
次に上記実施形態の作用を説明する。水平スクリューロッド６を回動装置７にて掘削方向と並行にしておき、施工機本体１を所定位置にセットし、上部の回転駆動装置３を起動し、回転掘削行いながらリーダ２に沿ってスクリューロッド５及び水平スクリューロッド６，６’を設定深度まで埋入する。この時、スクリューブレード１２外周縁に取付けられた掘削刃１６がスクリューロッド５，６，６’の回転とクローラ１１の前進力にて地盤の掘削を行い、掘削土砂は回転しているスクリューブレード１２に沿って地上に搬送される。
【００１７】
ここで、水平スクリューロッド６，６’を回転させながら、油圧装置１５にてカムを押すことにより回動装置７を９０度回動させ、掘削方向直角断面が逆Ｔ字になるようにする。
【００１８】
次に、地上の固化材プラントからセメントミルク等の地盤改良薬液を反力受け８内薬液供給パイプ（図示せず）を介して送り込み、薬液吐出口（図示せず）から吐出させつつ、クローラ１１を到達場所に向けて掘削前進させる。このとき発生する余剰混合土はスクリューロッド５のスクリューブレード１２に沿って地上に排出されるので、これをプラントに回収し、余剰混合土中の地盤改良薬液等は回収使用する。尚、水平スクリューロッド６，６’のスクリューブレード１２の向きは回転に合わせ中心軸であるスクリューロッド５に余剰混合土（掘削土砂含む）が移動し、地上に排出される方向にセットされている。
【００１９】
そして、スクリューロッド５が到達場所に達した段階で、薬液の供給を止め、水平スクリューロッド６，６’を、油圧装置１５にて回動装置７のカムを引き戻すことにより９０度回動させ掘削方向と並行に戻した後、リーダ２に沿って引き揚げ地上に回収する。この時、クローラ１１を発進側に後退させ水平スクリューロッド６，６’を回動装置７にて９０度回動し掘削方向と並行に戻して後、リーダ２に沿って引き揚げ地上に回収した方が水平スクリューロッド６，６’上部片面の新規掘削を必要とせず施工部をバランスの良く引き揚げることができる。こうして、所望の掘削方向断面が逆Ｔ字形状のソイルセメント連続壁が造成される。
【００２０】
尚、ここでは逆Ｔ字形状の連続壁の造成方法について説明したが、Ｌ字形状連続壁の場合は水平スクリューロッド６，６’を片側だけとして上記と同様の動作を行えば造成できることは言うまでもない。
【００２１】
【発明の効果】
以上説明したように本発明の施工機によれば、地山の開削を行うことなく、掘削方向直角断面が逆Ｔ字又はＬ字形状連続壁の構築が可能となり、施工場所の形状や設計条件に合わせた施工が行えると共に、コストの軽減と工期の短縮化が達成できる。
【図面の簡単な説明】
【図１】本発明における逆Ｔ字形状連続壁施工機の概略図（図（１−１）は側面図、図（１−２）はその正面図、図（１−３）は図（１−２）の各矢視からの断面図）。
【図２】図１のギャボックス１０付近を拡大した各矢視からの断面図。
【符号の説明】
１  施工機本体
２  リーダ
３  回転駆動装置
４  昇降装置
５  スクリューロッド
６  水平スクリューロッド
７  回動装置
８  反力受け
９  掘削ヘッド
１０  ギャボックス
１１  クローラ
１２  スクリューブレード
１３  ベベルギャ
１４  スプロケット
１５  油圧装置
１６  掘削刃
【図１】
2004263529.tif 000003
【図２】
2004263529.tif 000004